(57)【要約】【課題】時系列に取得された複数の検査項目の検査データを表示させる際、簡易な操作によって適度に絞り込んだ関連する検査項目の検査データを表示させる。【解決手段】注目する注目検査項目の指定を受け付ける検査項目指定受付部１４と、注目検査項目の指定を受け付けた際、その注目検査項目の検査データと、注目検査項目以外の検査項目の検査データであって、注目検査項目の検査データが取得された日と同じ日に取得された検査データとを取得する診療情報取得部１１（検査データ取得部）と、注目検査項目の検査データおよび注目検査項目の検査データが取得された日と同じ日に取得された検査データのみを表示させる表示制御部１３とを備える。【選択図】図１
2014186439.tif 000002
【特許請求の範囲】
【請求項１】
時系列で取得された複数の検査項目の検査データを表示させる検査データ表示制御装置であって、
注目する注目検査項目の指定を受け付ける検査項目指定受付部と、
前記注目検査項目の指定を受け付けた際、前記注目検査項目の検査データと、前記注目検査項目以外の検査項目の検査データであって、前記注目検査項目の検査データが取得された日と同じ日に取得された検査データとを取得する検査データ取得部と、
前記注目検査項目の検査データおよび前記注目検査項目の検査データが取得された日と同じ日に取得された検査データのみを表示させる表示制御部とを備えたことを特徴とする検査データ表示制御装置。
【請求項２】
前記検査項目指定受付部が、前記注目検査項目とは異なる検査項目の指定を受け付けるものであり、
前記検査データ取得部が、前記注目検査項目の指定を受け付けた後に前記注目検査項目とは異なる検査項目の指定を受け付けた際、さらに該異なる検査項目の検査データと、該異なる検査項目の検査データが取得された日と同じ日に取得された検査データを取得するものであり、
前記表示制御部が、さらに前記異なる検査項目の検査データおよび前記異なる検査項目の検査データが取得された日と同じ日に取得された検査データを追加して表示させるものであることを特徴とする請求項１記載の検査データ表示制御装置。
【請求項３】
前記検査項目指定受付部が、前記注目検査項目とは異なる検査項目の指定を受け付けるものであり、
前記検査データ取得部が、前記注目検査項目の指定を受け付けた後に前記注目検査項目とは異なる検査項目の指定を受け付けた際、前記注目検査項目と前記異なる検査項目とで同じ日に取得された検査データを取得するものであり、
前記表示制御部が、前記同じ日に取得された検査データのみを表示させるものであることを特徴とする請求項１記載の検査データ表示制御装置。
【請求項４】
前記検査データ取得部が、前記注目検査項目の指定を受け付けた際、前記注目検査項目の検査データが取得された日を基準とした日にちの範囲が予め設定されている場合には、該予め設定された日にちの範囲内に取得された検査データをさらに取得するものであり、
前記表示制御部が、さらに前記日にちの範囲内に取得された検査データを表示させるものであることを特徴とする請求項１から３いずれか１項記載の検査データ表示制御装置。
【請求項５】
前記表示制御部が、表示対象の検査データの中に異常値が存在する場合には、該異常値の検査データを強調表示させるものであることを特徴とする請求項１から３いずれか１項記載の検査データ表示制御装置。
【請求項６】
前記検査データ取得部が、前記注目検査項目を含む少なくとも２つの検査項目の検査データを取得するものであり、
前記表示制御部が、前記少なくとも２つの検査項目の検査データを表示させた後、前記注目検査項目の指定を受け付けた際に、前記注目検査項目の検査データおよび前記注目検査項目の検査データが取得された日と同じ日に取得された検査データのみを表示させるものであることを特徴とする請求項１から５いずれか１項記載の検査データ表示制御装置。
【請求項７】
前記検査データ取得部が、初期モードの設定入力が行われた際、前記注目検査項目の指定を受け付ける前に表示されていた検査データを再度取得するものであり、
前記表示制御部が、前記注目検査項目の指定を受け付ける前に表示されていた検査データを再び表示させるものであることを特徴とする請求項１から６いずれか１項記載の検査データ表示制御装置。
【請求項８】
前記表示制御部が、前記検査データが存在しない期間が予め設定された期間以上である場合には、該検査データが存在しない期間の横軸を省略して表示するものであることを特徴とする請求項１から７いずれか１項記載の検査データ表示制御装置。
【請求項９】
前記検査項目指定受付部が、前記表示制御部によって前記検査データが表示された画面内において入力された検査項目の指定情報を受け付けるものであることを特徴とする請求項１から８いずれか１項記載の検査データ表示制御装置。
【請求項１０】
時系列で取得された複数の検査項目の検査データを表示させる検査データ表示制御方法であって、
注目する注目検査項目の指定を受け付け、
該注目検査項目の指定を受け付けた際に、前記注目検査項目の検査データと、前記注目検査項目以外の検査項目の検査データであって、前記注目検査項目の検査データが取得された日と同じ日に取得された検査データとを取得し、
前記注目検査項目の検査データおよび前記注目検査項目の検査データが取得された日と同じ日に取得された検査データのみを表示させることを特徴とする検査データ表示制御方法。
【請求項１１】
時系列で取得された複数の検査項目の検査データを表示させる検査データ表示制御プログラムであって、
コンピュータを、
注目する注目検査項目の指定を受け付ける検査項目指定受付部と、
前記注目検査項目の指定を受け付けた際、前記注目検査項目の検査データと、前記注目検査項目以外の検査項目の検査データであって、前記注目検査項目の検査データが取得された日と同じ日に取得された検査データを取得する検査データ取得部と、
前記注目検査項目の指定を受け付けた際、前記注目検査項目の検査データと、前記注目検査項目の検査データが取得された日と同じ日に取得された検査データのみを表示させる表示制御部として機能させることを特徴とする検査データ表示制御プログラム。
【発明の詳細な説明】
【技術分野】
【０００１】
本発明は、時系列に取得された複数の検査項目の検査データを表示させる検査データ表示制御装置および方法並びにプログラムに関するものである。
【背景技術】
【０００２】
近年、医師によって診療が行われる際、患者に対して実施された複数の検査結果をディスプレイに表示させ、病名の診断や治療方針などを決定するための参考情報として利用されている。
【０００３】
患者に実施される検査には様々な種類があり、実際の医療現場では、患者に特定の疾患が疑われるときには、その特定の疾患の診断に重要と考えられている複数の検査の各検査結果を参照して、診断または治療を行っている。
【０００４】
しかしながら、患者に対して実施される検査項目が多数に亘る場合があり、特に、患者が複数の疾患を患っている場合には、さらに検査項目が増えることになる。したがって、その多数の検査項目の検査結果を同一の座標軸上にグラフとして全て重ねて表示するようにしたのでは、グラフ同士が重なりあってしまって非常に見難いものとなってしまい、検査データに異常な兆候があったとしても見逃すおそれがある。
【０００５】
そこで、たとえば特許文献１から特許文献３においては、注目する検査項目の指定を受け付けた際には、その指定された検査項目のみを表示させることが開示されている。
【先行技術文献】
【特許文献】
【０００６】
【特許文献１】特開平２−１１１２９号公報
【特許文献２】特開２００４−２４８７９３号公報
【特許文献３】特開２００４−７８３１０号公報
【発明の概要】
【発明が解決しようとする課題】
【０００７】
しかしながら、特許文献１から特許文献３のように指定された検査項目の検査データのみを表示させるようにしたのでは、診療に十分な情報が得られず、その他の検査データも見たい場合がある。このような場合、注目したい検査項目を一つ一つ指定して表示対象の検査データを切り替えるようにしたのでは、複数の検査項目の検査データを同時に観察することができず、また、操作も非常に煩わしい。
【０００８】
本発明は、上記事情に鑑み、簡易な操作によって適度に絞り込んだ関連する検査項目の検査データを表示することができる検査データ表示制御装置および方法並びにプログラムを提供することを目的とするものである。
【課題を解決するための手段】
【０００９】
本発明の検査データ表示制御装置は、時系列で取得された複数の検査項目の検査データを表示させる検査データ表示制御装置であって、注目する注目検査項目の指定を受け付ける検査項目指定受付部と、注目検査項目の指定を受け付けた際、注目検査項目の検査データと、注目検査項目以外の検査項目の検査データであって、注目検査項目の検査データが取得された日と同じ日に取得された検査データとを取得する検査データ取得部と、注目検査項目の検査データおよび注目検査項目の検査データが取得された日と同じ日に取得された検査データのみを表示させる表示制御部とを備えたことを特徴とする。
【００１０】
また、上記本発明の検査データ表示制御装置においては、検査項目指定受付部を、注目検査項目とは異なる検査項目の指定を受け付けるものとし、検査データ取得部を、注目検査項目の指定を受け付けた後に注目検査項目とは異なる検査項目の指定を受け付けた際、さらにその異なる検査項目の検査データと、その異なる検査項目の検査データが取得された日と同じ日に取得された検査データを取得するものとし、表示制御部を、さらにその異なる検査項目の検査データおよびその異なる検査項目の検査データが取得された日と同じ日に取得された検査データを追加して表示させるものとできる。
【００１１】
また、検査項目指定受付部を、注目検査項目とは異なる検査項目の指定を受け付けるものとし、検査データ取得部を、注目検査項目の指定を受け付けた後に注目検査項目とは異なる検査項目の指定を受け付けた際、注目検査項目と異なる検査項目とで同じ日に取得された検査データを取得するものとし、表示制御部を、同じ日に取得された検査データのみを表示させるものとできる。
【００１２】
また、検査データ取得部を、注目検査項目の指定を受け付けた際、注目検査項目の検査データが取得された日を基準とした日にちの範囲が予め設定されている場合には、その予め設定された日にちの範囲内に取得された検査データをさらに取得するものとし、表示制御部を、さらに上記日にちの範囲内に取得された検査データを表示させるものとできる。
【００１３】
また、表示制御部を、表示対象の検査データの中に異常値が存在する場合には、その異常値の検査データを強調表示させるものとできる。
【００１４】
また、検査データ取得部を、注目検査項目を含む少なくとも２つの検査項目の検査データを取得するものとし、表示制御部を、上記少なくとも２つの検査項目の検査データを表示させた後、注目検査項目の指定を受け付けた際に、注目検査項目の検査データおよび注目検査項目の検査データが取得された日と同じ日に取得された検査データのみを表示させるものとできる。
【００１５】
また、検査データ取得部を、初期モードの設定入力が行われた際、注目検査項目の指定を受け付ける前に表示されていた検査データを再度取得するものとし、表示制御部を、注目検査項目の指定を受け付ける前に表示されていた検査データを再び表示させるものとできる。
【００１６】
また、表示制御部を、検査データが存在しない期間が予め設定された期間以上である場合には、その検査データが存在しない期間の横軸を省略して表示するものとできる。
【００１７】
また、検査項目指定受付部を、表示制御部によって検査データが表示された画面内において入力された検査項目の指定情報を受け付けるものとできる。
【００１８】
本発明の検査データ表示制御方法は、時系列で取得された複数の検査項目の検査データを表示させる検査データ表示制御方法であって、注目する注目検査項目の指定を受け付け、その注目検査項目の指定を受け付けた際に、注目検査項目の検査データと、注目検査項目以外の検査項目の検査データであって、注目検査項目の検査データが取得された日と同じ日に取得された検査データとを取得し、注目検査項目の検査データおよび注目検査項目の検査データが取得された日と同じ日に取得された検査データのみを表示させることを特徴とする。
【００１９】
本発明の検査データ表示制御プログラムは、時系列で取得された複数の検査項目の検査データを表示させる検査データ表示制御プログラムであって、コンピュータを、注目する注目検査項目の指定を受け付ける検査項目指定受付部と、注目検査項目の指定を受け付けた際、注目検査項目の検査データと、注目検査項目以外の検査項目の検査データであって、注目検査項目の検査データが取得された日と同じ日に取得された検査データを取得する検査データ取得部と、注目検査項目の指定を受け付けた際、注目検査項目の検査データと、注目検査項目の検査データが取得された日と同じ日に取得された検査データのみを表示させる表示制御部として機能させることを特徴とする。
【発明の効果】
【００２０】
本発明の検査データ表示制御装置および方法並びにプログラムによれば、時系列で取得された複数の検査項目の検査データを表示させる際、注目する注目検査項目の指定を受け付けた場合には、その注目検査項目の検査データと、注目検査項目以外の検査項目の検査データであって、注目検査項目の検査データが取得された日と同じ日に取得された検査データとを取得し、注目検査項目の検査データおよび注目検査項目の検査データが取得された日と同じ日に取得された検査データのみを表示させるようにしたので、注目検査項目の検査データを確認することができるとともに、その注目検査項目に関連がありそうな同日に取得された検査データを確認することができる。
【００２１】
すなわち、注目検査項目の指定という簡易な操作によって適度に絞り込んだ関連する検査項目の検査データを表示することができる。
【図面の簡単な説明】
【００２２】
【図１】本発明の検査データ表示制御装置の一実施形態を用いた診療情報表示システムの概略構成を示すブロック図
【図２】診療情報表示画面の一例を示す図
【図３】本発明の検査データ表示制御装置の一実施形態を用いた診療情報表示システムの作用を説明するためのフローチャート
【図４】全ての検査項目の検査データとそのグラフを示す図
【図５】注目検査項目の指定を受け付けた際に取得される検査データとそのグラフを示す図
【図６】絞込み表示モードにおいて、注目検査項目とは異なる検査項目の指定をさらに受け付けた際に取得される検査データとそのグラフを示す図
【図７】合体表示モードにおいて、注目検査項目とは異なる検査項目の指定をさらに受け付けた際に取得される検査データとそのグラフを示す図
【図８】注目検査項目の検査データが取得された日を基準とした日にちの範囲が予め設定されている場合において、注目検査項目の指定を受け付けた際に取得される検査データとそのグラフを示す図
【発明を実施するための形態】
【００２３】
以下、本発明の検査データ表示制御装置および方法並びにプログラムの一実施形態を用いた診療情報表示システムについて、図面を参照しながら詳細に説明する。図１は、本実施形態の診療情報表示システム１の概略構成を示すブロック図である。
【００２４】
本実施形態の診療情報表示システム１は、図１に示すように、診療情報表示制御装置１０と、診療科端末２０と、電子カルテシステム３０と、検査部門システム４０と、画像診断システム５０とを備えている。
【００２５】
まず、診療情報表示制御装置１０について説明する。なお、診療情報表示制御システムは、本発明の検査データ表示制御装置の一実施形態を含むものである。
【００２６】
診療情報表示制御装置１０は、診療科端末２０において入力された患者の識別情報を受け付け、その患者に関する診療情報を電子カルテシステム３０、検査部門システム４０および画像診断システム５０からそれぞれ収集し、その収集した情報を統合した診療情報表示画面を生成して診療科端末２０に表示させるものである。
【００２７】
具体的には、診療情報表示制御装置１０は、図１に示すように、診療情報取得部１１（検査データ取得部を相当する）と、診療情報記憶部１２と、表示制御部１３と、検査項目指定受付部１４とを備えている。
【００２８】
診療情報表示制御装置１０は、コンピュータに本発明の検査データ表示制御プログラムの一実施形態を含む診療情報表示制御プログラムをインストールしたものである。そして、中央処理装置（ＣＰＵ）によって上記診療情報表示制御プログラムが実行されることによって上述した診療情報取得部１１と、表示制御部１３と、検査項目指定受付部１４とが機能する。上記診療情報表示制御プログラムは、ＣＤ−ＲＯＭなどの記録媒体に記録されたものでもよいし、インターネットを経由してサーバなどからダウンロードしたものでもよい。
【００２９】
診療情報取得部１１は、診療科端末２０において入力された患者の識別情報に基づいて、その患者の識別情報に紐付けされた診療情報を各サーバから取得するものである。診療情報としては、その患者の名前や年齢や性別などといった基本情報、投薬や点滴の情報、検体検査やバイタルなどの種々の検査データ、および画像診療情報などがある。
【００３０】
診療情報取得部１１は、患者の識別情報に基づいて各サーバから収集した診療情報を一旦、診療情報記憶部１２に記憶する。診療情報記憶部１２は、ハードディスクなどのストレージデバイスから構成されるものである。
【００３１】
そして、診療情報記憶部１２に記憶された診療情報は、必要に応じて診療情報取得部１１によって読み出されて表示制御部１３に出力されるが、本実施形態の診療情報取得部１１は、検査項目指定受付部１４において、注目する注目検査項目の指定が受け付けられた際には、その注目検査項目の検査データに関連する検査データを取得し、その取得した検査データを表示制御部１３に出力するものである。なお、注目検査項目の検査データに関連する検査データの取得については、後で詳述する。
【００３２】
表示制御部１３は、診療情報取得部１１から出力された患者の診療情報に基づいて診療情報表示画面を生成し、その診療情報表示画面を診療科端末２０に出力して表示させるものである。
【００３３】
ここで、表示制御部１３において生成される診療情報表示画面について説明する。図２は、診療情報表示画面の一例を示すものである。
【００３４】
診療情報表示画面は、図２に示すように、基本情報表示欄Ｒ１と、検査期間表示欄Ｒ２と、投薬期間表示欄Ｒ３と、検査データ表示欄Ｒ４と、画像診療情報欄Ｒ５と、投薬リスト表示欄Ｒ６と、検査項目リスト表示欄Ｒ７とを備えている。
【００３５】
基本情報表示欄Ｒ１は、患者の識別情報（患者ＩＤ）、名前、年齢、性別、既往歴などといった基本情報が表示される欄である。また、既往歴については、図２に示すように、各疾患に対してチェックボックスが表示される。そして、このチェックボックスがチェックされることによって注目する疾患が指定され、その疾患に関する検査データや画像診療情報などが表示されることになる。
【００３６】
検査期間表示欄Ｒ２は、患者の検査期間などを表示する欄であり、患者が検査を受けた期間が横棒グラフで表示される。投薬期間表示欄Ｒ３は、患者に対する投薬や点滴を行った期間を表示する欄であり、患者が投薬や点滴を受けた期間が横棒グラフで表示される。
【００３７】
検査データ表示欄Ｒ４は、時系列に取得された複数の検査項目の検査データが折れ線グラフで表示される欄である。画像診療情報欄Ｒ５は、患者の画像診療情報を表示する欄である。具体的には、患者をＣＴ装置やＭＲＩ装置で撮影した画像のサムネイル画像が表示される。このサムネイル画像がクリックなどされて選択された際には、サムネイル画像の元の原画像が別の表示画面で表示され、また、その原画像に関する読影レポートも表示される。
【００３８】
投薬リスト表示欄Ｒ６は、投薬期間表示欄Ｒ３に表示された各投薬期間において投薬や点滴された薬剤の種類がリスト表示される欄である。投薬リスト表示欄Ｒ６には、薬剤がリスト表示されるとともに、各薬剤に対してチェックボックスが表示され、このチェックボックスがチェックされた薬剤の投薬期間が、投薬期間表示欄Ｒ３において強調表示される。具体的には、たとえばチェックボックスでチェックされた薬剤の投薬期間がカラー表示され、チェックされていない薬剤の投薬期間は目立たないように薄いグレーなどで表示される。
【００３９】
検査項目リスト表示欄Ｒ７は、検査データ表示欄Ｒ４に表示された検査データの検査項目がリスト表示される欄である。検査項目リスト表示欄Ｒ７には、検査項目がリスト表示されるとともに、その各検査項目に対してチェックボックスが表示される。そして、このチェックボックスがチェックされることによって注目する検査項目が指定され、その指定された注目検査項目の検査データに関連する検査データの折れ線グラフのみが検査データ表示欄Ｒ４に表示される。注目検査項目の検査データに関連する検査データの折れ線グラフのみの表示については、後で詳述する。
【００４０】
図１に戻り、検査項目指定受付部１４は、上述した診療情報表示画面における検査項目リスト表示欄Ｒ７において指定された注目検査項目の情報を受け付け、その情報を診療情報取得部１１に出力するものである。診療情報取得部１１は、注目検査項目の情報に基づいて、診療情報記憶部１２に記憶されている複数の検査項目の検査データの中から、注目検査項目の検査データに関連する検査データのみを取得し、その取得した検査データを表示制御部１３に出力するものである。
【００４１】
診療科端末２０は、図２に示す診療情報表示画面を表示するディスプレイと、患者の識別情報の入力や上述したチェックボックスの指定入力などを受け付けるキーボードおよびマウスなどを備えたものである。
【００４２】
電子カルテシステム３０は、複数の患者の電子カルテを管理するシステムである。電子カルテシステム３０は、電子カルテ保管サーバ３１を備えており、この電子カルテ保管サーバ３１には、複数の患者の電子カルテが患者の識別情報と紐付けされて保管されている。電子カルテシステム３０は、診療科端末２０において入力された患者の識別情報を取得し、その識別情報に紐付けされた電子カルテの情報を診療情報表示制御装置１０に出力するものである。電子カルテには、患者の基本情報や、投薬および点滴の薬剤の種類や投薬期間、既往歴などの情報が含まれている。
【００４３】
検査部門システム４０は、複数の患者の検査データを管理するシステムである。検査部門システム４０は、検査データ保管サーバ４１を備えており、この検査データ保管サーバ４１には、複数の患者の検査データが患者の識別情報と紐付けされて保管されている。検査部門システム４０は、診療科端末２０において入力された患者の識別情報を取得し、その識別情報に紐付けされた検査データを診療情報表示制御装置１０に出力するものである。
【００４４】
画像診断システム５０は、複数の患者の画像診療情報を管理するシステムである。画像診断システム５０は、画像管理サーバ５１と、読影レポートサーバ５２とを備えている。画像管理サーバ５１には、複数の患者の放射線画像などが患者の識別情報と紐付けされて保管されている。また、読影レポートサーバ５２には、放射線画像などを観察して医師が作成した読影レポートが保管されており、この読影リポートは画像管理サーバ５１に保管された放射線画像などと紐付けされて保管されている。画像診断システム５０は、診療科端末２０において入力された患者の識別情報を取得し、その識別情報に紐付けされた放射線画像やその読影レポートを診療情報表示制御装置１０に出力するものである。
【００４５】
次に、本実施形態の診療情報表示システム１の作用について、図３に示すフローチャートを参照しながら説明する。なお、本実施形態の診療情報表示システム１は、上述した検査データ表示欄Ｒ４における検査データのグラフ表示に特徴を有するものであるため、以下、その点を中心に説明する。
【００４６】
まず、診療科端末２０において、医師などによる指示入力により診療情報表示制御装置１０にインストールされた検査データ表示制御プログラムが起動される（Ｓ１０）。
【００４７】
次に、診療科端末２０において、患者の識別情報が入力され、その患者の識別情報は、診療情報表示制御装置１０の診療情報取得部１１によって取得される（Ｓ１２）。
【００４８】
診療情報取得部１１は、入力された患者の識別情報に基づいて、電子カルテ保管サーバ３１、検査データ保管サーバ４１、画像管理サーバ５１および読影レポートサーバ５２からその患者に関する診療情報を収集し、診療情報記憶部１２にその診療情報を一旦記憶させる。
【００４９】
そして、診療情報取得部１１は、まず、患者の基本情報を診療情報記憶部１２から読み出して表示制御部１３に出力する。表示制御部１３は、まず、基本情報のみが表示された診療情報表示画面を作成し、その診療情報表示画面を診療科端末２０のディスプレイに表示させる。
【００５０】
そして、診療科端末２０のディスプレイに表示された診療情報表示画面の基本情報表示欄Ｒ１において、特定の疾患のチェックボックスがチェックされると、診療情報取得部１１は、その疾患に関する全ての検査項目の検査データを診療情報記憶部１２から読み出して取得し、表示制御部１３に出力する。
【００５１】
表示制御部１３は、入力された全ての検査項目の検査データのグラフと、その全ての検査項目のリストが表示された診療情報表示画面を作成し、その診療情報表示画面を診療科端末２０のディスプレイに表示させる（Ｓ１４）。
【００５２】
ここでは、説明を分かり易くするため、全ての検査項目の検査データとして、図４の表に示すような検査項目Ａ〜Ｄの検査データが取得され、表示制御部１３によって、図４に示すような検査項目Ａ〜Ｄのグラフが表示されたものとする。このとき診療情報表示画面の検査項目リスト表示欄Ｒ７には、検査項目Ａ〜Ｄの検査名とチェックボックスが表示される。
【００５３】
次に、医師が検査項目Ａに関連する検査データを観察したいと考えた場合には、検査項目リスト表示欄Ｒ７における検査項目Ａのチェックボックスがチェックされることによって、検査項目Ａが注目検査項目として指定される（Ｓ１６）。
【００５４】
検査項目Ａの指定情報は、検査項目指定受付部１４によって受け付けられ、検査項目指定受付部１４は、その指定情報を診療情報取得部１１に出力する。診療情報取得部１１は、入力された検査項目Ａの情報に基づいて、診療情報記憶部１２に記憶されている複数の検査項目の検査データの中から、注目検査項目である検査項目Ａの検査データと、検査項目Ａ以外の検査項目の検査データであって、検査項目Ａの検査データが取得された日と同じ日に取得された検査データを取得する。具体的には、図５の表に示すように、検査項目Ａと同じ日に取得された検査項目Ｂの一部の検査データ（2012/2/4、2012/3/10、2012/12/15の検査データ）と、検査項目Ｃの一部の検査データ（2012/5/31）とが取得される。
【００５５】
そして、図５の表に示す検査データが表示制御部１３に出力され、表示制御部１３は、入力された検査データに基づいて、図５に示すようなグラフを表示させる（Ｓ１８）。これにより検査項目Ａと同じ日に取得された検査データのみを表示させることができるので、グラフを見易くするとともに、検査項目Ａに関連する検査データを同時に観察することができる。
【００５６】
次に、医師が検査項目Ａ以外の検査項目に着目したグラフ表示を行いたい場合には、検査項目Ａ以外の異なる検査項目が指定される（Ｓ２０）。なお、ここでは、検査項目Ａ以外の検査項目に着目したグラフ表示として、絞込み表示モードと合体表示モードとが予め設定されているものとする。これらのモードのいずれかが医師などによって選択される。これらのモードの選択は、診療科端末２０におけるキーボード入力によって行うようにしてもよいし、診療情報表示画面上にこれらのモードを選択するためのチェックボックスを表示させるようにしてもよい。
【００５７】
まず、絞込み表示モードが選択され、検査項目Ｂが新たに指定された場合について説明する。検査項目リスト表示欄Ｒ７における検査項目Ｂのチェックボックスが追加してチェックされると、その検査項目Ｂの指定情報が、検査項目指定受付部１４によって受け付けられ、検査項目指定受付部１４は、その指定情報を診療情報取得部１１に出力する。
【００５８】
診療情報取得部１１は、絞込み表示モードが選択されている場合には（Ｓ２２，絞込み）、検査項目Ａと検査項目Ｂとで同じ日に取得された検査データを取得する。具体的には、図６の表に示すように、検査項目Ａと検査項目Ｂとで同じ日に取得された検査データ（2012/2/4、2012/3/10、2012/12/15の検査データ）が取得される。
【００５９】
そして、図６の表に示す検査データが表示制御部１３に出力され、表示制御部１３は、入力された検査データに基づいて、図６に示すようなグラフを表示させる（Ｓ２４）。これにより表示される検査データをさらに絞り込むことができるので、検査項目Ａと検査項目Ｂのみに着目した診断を行うことができる。
【００６０】
次に、合体表示モードが選択され、検査項目Ｂが新たに指定された場合について説明する。検査項目リスト表示欄Ｒ７における検査項目Ｂのチェックボックスが追加してチェックされると、その検査項目Ｂの指定情報が、検査項目指定受付部１４によって受け付けられ、検査項目指定受付部１４は、その指定情報を診療情報取得部１１に出力する。
【００６１】
診療情報取得部１１は、合体表示モードが選択されている場合には（Ｓ２２，合体）、さらに検査項目Ｂの検査データと、検査項目Ｂの検査データが取得された日と同じ日に取得された検査データを取得する。
【００６２】
具体的には、図７の表に示すように、検査項目Ｂの全ての検査データと、その検査データと同じ日に取得された検査項目Ｃの検査データ（2012/2/10の検査データ）と検査項目Ｄの検査データ（2012/2/10、2012/10/3の検査データ）とがさらに取得される。
【００６３】
そして、図７の表に示す検査データが表示制御部１３に出力され、表示制御部１３は、入力された検査データに基づいて、図７に示すようなグラフを表示させる（Ｓ２４）。検査項目Ａの検査データが取得された日と同じ日に取得された検査データと、検査項目Ｂの検査データが取得された日と同じ日に取得された検査データとを合体させて表示することができるので、検査項目Ａに関連する検査データと検査項目Ｂの関連する検査データとを同時に表示させることができ、より総合的な診断を行うことができる。
【００６４】
また、上記実施形態の診療情報表示システム１においては、注目検査項目の指定を受け付けた際、その注目検査項目の検査データと同じ日に取得された検査データのみを取得するようにしたが、これに限らず、たとえば、注目検査項目の検査データが取得された日を基準とした日にちの範囲を予め設定しておき、その予め設定された日にちの範囲内に取得された検査データをさらに取得するようにしてもよい。
【００６５】
たとえば、図４に示すように全ての検査項目Ａ〜Ｄの検査データのグラフが表示されている状態において、注目検査項目として検査項目Ａの指定を受け付けた際には、検査項目Ａの検査データが取得された日を基準として±３日の範囲内に取得された検査データをさらに取得して表示させるようにしてもよい。図８は、このとき取得される検査データと、その取得された検査データに基づいて表示されるグラフを示すものである。このようにグラフ表示させることによって、注目検査項目の検査データが取得された日の近傍で取得された検査データも表示させることができる。なお、日にちの範囲としては、±３日に限らず、その他、ユーザによって任意に設定可能であるとする。
【００６６】
また、上記実施形態の診療情報表示システム１において、上述したように検査データのグラフ表示を行う際、検査データの中に医学的に異常であると判断される値が含まれている場合には、その検査データやその検査データが含まれるグラフを強調表示するようにしてもよい。強調表示の方法としては、検査データのプロットやグラフの色を変えるようにしてもよいし、グラフの線を太くしたり、異常値を含まないグラフ群とは間隔を空けて離して表示したりするようにしてもよい。このように異常値の検査データを強調表示することによって、たとえば、上述した注目検査項目の指標としたり、絞込み表示や合体表示を行う際にさらに指定すべき検査項目の指標としたりすることができる。
【００６７】
また、上記実施形態の診療情報表示システム１において、注目検査項目の検査データが取得された日と同じ日に取得された検査データのみを表示したり、絞込み表示や合体表示を行った結果、検査データが存在しない期間が予め設定された期間以上となった場合には、その検査データが存在しない期間の横軸を省略して表示することによってその期間を非表示としてもよい。
【００６８】
また、上記実施形態の診療情報表示システム１においては、図４に示すように全ての検査項目の検査データを表示させた状態から注目検査項目などを指定することによって表示対象の検査データを絞って表示するようにしたが、このように表示対象の検査データを絞り込んだ後に、医師などによって初期モードの設定入力が行われた場合には、検査データ取得部１１によって注目検査項目の指定を受け付ける前に表示されていた検査データを再度取得し、表示制御部１３によって注目検査項目の指定を受け付ける前に表示されていた検査データを再び表示させるようにしてもよい。すなわち、注目検査項目の指定を受け付ける前の図４に示す初期状態のグラフを再度表示するようにしてもよい。これにより、再度、注目検査項目などを変更して指定することができ、異なる観点で表示対象の検査データの絞り込みを行うことができる。
【符号の説明】
【００６９】
１     診療情報表示システム
１０   診療情報表示制御装置
１１   診療情報取得部
１２   診療情報記憶部
１３   表示制御部
１４   検査項目指定受付部
２０   診療科端末
３０   電子カルテシステム
３１   電子カルテ保管サーバ
４０   検査部門システム
４１   検査データ保管サーバ
５０   画像診断システム
５１   画像管理サーバ
５２   読影レポートサーバ
【図１】
2014186439.tif 000003
【図３】
2014186439.tif 000004
【図４】
2014186439.tif 000005
【図５】
2014186439.tif 000006
【図６】
2014186439.tif 000007
【図７】
2014186439.tif 000008
【図８】
2014186439.tif 000009
【図２】
2014186439.tif 000010